(57)【要約】【課題】浸水から水抜きまでの全過程において完全に止水できるようにする。【解決手段】検知槽10に流れ込んだ水の自重に連動して留め具11による掛止状態が解除され、重力落下によって流路を閉止する閉止板12と、閉止板12のほぼ全周に亘って設けられたパッキン15とが備えられている。閉止板12の閉止方向の面側であって、前記閉止状態にある閉止板12からパッキンの潰れ代分だけ間隔をあけた流路内に、前記閉止板を押さえ可能な押さえ部材が備えられている。閉止板12によって閉止される流路の下部に、閉止直前で閉止板12の端縁が摺接しながら乗り越えて閉止状態になるとともに、乗り越え後は該閉止板12を閉止状態で停止させる跳ね返り防止装置20が備えられている。この跳ね返り防止装置20により、閉止板12の閉止状態と、この閉止状態から更にパッキン15の潰れ代分だけ閉止板12が閉止方向に移動した状態との２段階で閉止板12を保持可能とされている。【選択図】図７
2015200452.tif 000002
【特許請求の範囲】
【請求項１】
空調ダクト内に浸入した水が流れ込む検知槽と、前記検知槽に流れ込んだ水の自重に連動して留め具による掛止状態が解除され、重力落下によって流路を閉止する閉止板と、前記閉止板のほぼ全周に亘って設けられ、前記閉止板による流路の閉止状態で前記閉止板の前後を水密保持するパッキンとが備えられ、
前記閉止板の閉止方向の面側であって、前記閉止状態にある前記閉止板からパッキンの潰れ代分だけ間隔をあけた流路内に、前記閉止板を押さえ可能な押さえ部材が備えられ、
前記閉止板によって閉止される流路の下部に、閉止直前で前記閉止板の端縁が摺接しながら乗り越えて閉止状態になるとともに、乗り越え後は該閉止板を閉止状態で停止させる跳ね返り防止装置が備えられ、前記跳ね返り防止装置により、前記閉止板の閉止状態と、この閉止状態から更に前記パッキンの潰れ代分だけ前記閉止板が閉止方向に移動した状態との２段階で前記閉止板が保持可能とされていることを特徴とする空調ダクトの止水ダンパ。
【請求項２】
前記押さえ部材は、中空の円形の端部によって前記閉止板を押さえ可能とされている請求項１記載の空調ダクトの止水ダンパ。
【請求項３】
前記跳ね返り防止装置は、前記空調ダクトの下部に配置される本体部と、前記閉止板の閉止方向と反対側の面の下部に取り付けられる受け部とからなり、
前記本体部は、前記空調ダクト側に固定される基台と、前記基台に対して前記閉止板の閉止方向側の先端が上下に揺動自在に支持されるとともに、前記先端が上方に付勢支持された支持板とから構成され、
前記受け部は、前記閉止板の端縁側に位置する第１受け部と、前記第１受け部より前記閉止板の閉止状態で上方側に位置するとともに、前記第１受け部との間に段差部を形成しながら前記第１受け部より高く形成された第２受け部とから構成され、
前記閉止板の閉止状態では、前記支持板の先端が前記第１受け部を支持するとともに前記段差部に係合した状態で前記閉止板を保持し、前記閉止状態から更に前記パッキンの潰れ代分だけ前記閉止板が閉止方向に移動した状態では、前記支持板の先端が前記第１受け部を支持した状態が解除されるとともに、付勢力によって前記支持板が上方に揺動し、前記支持板の先端が前記第２受け部を支持した状態で前記閉止板を保持している請求項１、２いずれかに記載の空調ダクトの止水ダンパ。
【請求項４】
前記閉止板は、一方側の端縁がヒンジ部材によって流路上部に回動自在に支持されるとともに、他方側の端縁を前記留め具に掛止した掛止状態で流路上部にほぼ水平に収容され、且つ重力落下によって流路を閉止する方向と反対側の面に、一端がヒンジ部材によって回動自在に支持されるとともに、前記閉止板の掛止状態で前記閉止板に沿うように配向されたストッパーアームが備えられ、
前記ストッパーアームは、前記閉止板が重力落下によって流路を閉止した反動で回動を開始し、前記閉止板とほぼ垂直になる位置で、流路に配置されたストッパー受け台に該ストッパーアームの他端が係合するように設けられている請求項１〜３いずれかに記載の空調ダクトの止水ダンパ。
【請求項５】
前記閉止板が重力落下によって流路を閉止する際、衝撃を和らげるためのダンパーが備えられている請求項１〜４いずれかに記載の空調ダクトの止水ダンパ。
【請求項６】
前記検知槽は、流れ込んだ水の自重によって傾斜するように設けられるとともに、前記検知槽に接続するロッド棒及び揺動支持された作動杆を介して前記留め具と連設され、
前記作動杆は、一方端に前記ロッド棒が接続されるとともに、他方端に前記留め具が接続され、前記検知槽の傾斜に伴って揺動することにより、前記留め具による前記閉止板の掛止状態を解除するように動作する請求項１〜５いずれかに記載の空調ダクトの止水ダンパ。
【発明の詳細な説明】
【技術分野】
【０００１】
本発明は、空調ダクトを通じて建屋内に水が浸入するのを防止する空調ダクトの止水ダンパに関する。
【背景技術】
【０００２】
従来より、津波や洪水などの水害時に、水の流れを遮断する技術が種々開発されている。特に、原子力発電所などにおいては、建屋内部への浸水を防止する技術が開発されているが、これまで空調ダクトを通じた建屋内への浸水についてはほとんど考慮されておらず、その対策が望まれていた。
【０００３】
水害時に水の流れを遮断する技術としては、例えば下記特許文献１、２に、フロートの浮力を利用してゲート設備や防水装置を設けるものが開示され、下記特許文献３に、巻き胴装置を手動で駆動して遮蔽板を起立させるものが開示されている。
【先行技術文献】
【特許文献】
【０００４】
【特許文献１】特開２００３−２２１８２２号公報
【特許文献２】特開２００３−２７８５５号公報
【特許文献３】特開２００５−１８００６６号公報
【特許文献４】特願２０１３−８２６２８号公報
【発明の概要】
【発明が解決しようとする課題】
【０００５】
しかしながら、上記特許文献１〜３記載の技術を空調ダクトに適用しようとしても、ダンパが作動しない通常時に、ダンパ装置が空調ダクトの流路を塞ぐように配置されるため、ダクト内の空気の流れが妨げられて適用できないものであった。
【０００６】
そこで、本出願人等は、上記特許文献４において、電気などの駆動源を一切用いることなく、水の進入を防止するとともに、通常時は空気の流れを妨げないことなどを目的として、空調ダクト内に浸入した水が流れ込む検知槽と、前記検知槽に流れ込んだ水の自重に連動して止め具による係止状態が解除され、重力落下によって流路を閉止する閉止板とが備えられ、前記閉止板は、前記止め具に掛止された状態で、空気の流れを妨げない位置に配設されている空調ダクトの止水ダンパを提案した。
【０００７】
ところが、止水ダンパは、設置される箇所により、その浸水深さが数十ｍとなる場合があり、流路を閉塞する止水板に高い水圧が作用することになる。また、止水ダンパは、水害から重要室を守る目的で設置されることから、その止水性能は、浸水時の加圧状態だけでなく、浸水後に行う排水中の降圧状態下や水抜き時にも要求される。
【０００８】
すなわち、止水ダンパの閉止後は当然のことながら、浸水深さが増して止水板に大きな水圧がかかることにより止水板を水密保持しているパッキンが潰れてその潰れ代分だけ止水板が閉止方向に移動したとき、更にはその後の排水時や水抜き時など、止水板にかかる水圧が減少するときなどにおいても完全な止水性が求められている。特に、前記排水時や水抜き時などにおいては、止水板にかかる水圧が減少するため、パッキンの潰れ代分だけ移動した止水板が元に戻るが、このときパッキンの潰れた状態が回復するより早く、そこから水が漏れる可能性があった。
【０００９】
そこで本発明の主たる課題は、浸水から水抜きまでの全過程において完全に止水できるようにした空調ダクトの止水ダンパを提供することにある。
【課題を解決するための手段】
【００１０】
上記課題を解決するために請求項１に係る本発明として、空調ダクト内に浸入した水が流れ込む検知槽と、前記検知槽に流れ込んだ水の自重に連動して留め具による掛止状態が解除され、重力落下によって流路を閉止する閉止板と、前記閉止板のほぼ全周に亘って設けられ、前記閉止板による流路の閉止状態で前記閉止板の前後を水密保持するパッキンとが備えられ、
前記閉止板の閉止方向の面側であって、前記閉止状態にある前記閉止板からパッキンの潰れ代分だけ間隔をあけた流路内に、前記閉止板を押さえ可能な押さえ部材が備えられ、
前記閉止板によって閉止される流路の下部に、閉止直前で前記閉止板の端縁が摺接しながら乗り越えて閉止状態になるとともに、乗り越え後は該閉止板を閉止状態で停止させる跳ね返り防止装置が備えられ、前記跳ね返り防止装置により、前記閉止板の閉止状態と、この閉止状態から更に前記パッキンの潰れ代分だけ前記閉止板が閉止方向に移動した状態との２段階で前記閉止板が保持可能とされていることを特徴とする空調ダクトの止水ダンパが提供される。
【００１１】
上記請求項１記載の発明では、前記閉止板の閉止方向の面側であって、閉止状態にある閉止板からパッキンの潰れ代分だけ間隔をあけた流路内に、前記閉止板を押さえ可能な押さえ部材が備えられているため、前記閉止板による流路の閉止後、浸水側の揚程が大きい部分に本止水ダンパを設置した場合などのように、浸水深さが増して閉止板に過大な水圧が作用したとき、パッキンの潰れや閉止板の撓みによる閉止板の変位を、前記押さえ部材によって閉止板の背面側から押さえているので、パッキンによる水密性が確保でき、止水性が維持できるようになる。
【００１２】
また、浸水時に閉止板の掛止状態が解除されて重力落下によって流路を閉止する際、閉止板と空調ダクトとの当接による跳ね返りを防止するための跳ね返り防止装置を備えている。この跳ね返り防止装置は、浸水時に閉止板が重力落下によって閉止する閉止状態と、更に浸水深さが増して閉止板に大きな水圧がかかることによって前記パッキンが潰れてその潰れ代分だけ前記閉止板が閉止方向に移動した状態との２段階で前記閉止板を保持可能としている。このため、浸水の初期段階において閉止板の掛止状態が解除され重力落下によって流路を閉止した状態では、前記跳ね返り防止装置の第１段階で閉止板を保持することにより止水性が確保されている。その後、浸水深さが増して閉止板に大きな水圧がかかることによりパッキンが潰れてその潰れ代分だけ前記閉止板が閉止方向に移動した状態では、前記閉止板が押さえ部材によって押さえられるとともに、前記跳ね返り防止装置の第２段階で前記閉止板が保持されるため、止水性が確保できるようになる。更にその後、浸水した水の排水時や水抜き時において、閉止板にかかる水圧が減少した状態においても、前記押さえ部材によって押さえられるとともに、前記跳ね返り防止装置の第２段階で閉止板が保持されるため、パッキンの潰れた状態が保持され、水の漏れが生じることなく止水性が確保される。従って、浸水から水抜きまでの全過程において、前記閉止板によって完全に止水できるようになる。
【００１３】
請求項２に係る本発明として、前記押さえ部材は、中空の円形の端部によって前記閉止板を押さえ可能とされている請求項１記載の空調ダクトの止水ダンパが提供される。
【００１４】
上記請求項２記載の発明では、前記閉止板に過大な水圧がかかったとき閉止板の背面側から閉止板の全体を均等に押さえ、パッキンが閉止板全体に亘って均等に潰れた状態にするため、円形の端部で前記閉止板を押さえることが可能な構造としている。また、この押さえ部材は、中空のリング状に形成されているため、流路に配置することによる圧力損失が低く抑えられている。
【００１５】
請求項３に係る本発明として、前記跳ね返り防止装置は、前記空調ダクトの下部に配置される本体部と、前記閉止板の閉止方向と反対側の面の下部に取り付けられる受け部とからなり、
前記本体部は、前記空調ダクト側に固定される基台と、前記基台に対して前記閉止板の閉止方向側の先端が上下に揺動自在に支持されるとともに、前記先端が上方に付勢支持された支持板とから構成され、
前記受け部は、前記閉止板の端縁側に位置する第１受け部と、前記第１受け部より前記閉止板の閉止状態で上方側に位置するとともに、前記第１受け部との間に段差部を形成しながら前記第１受け部より高く形成された第２受け部とから構成され、
前記閉止板の閉止状態では、前記支持板の先端が前記第１受け部を支持するとともに前記段差部に係合した状態で前記閉止板を保持し、前記閉止状態から更に前記パッキンの潰れ代分だけ前記閉止板が閉止方向に移動した状態では、前記支持板の先端が前記第１受け部を支持した状態が解除されるとともに、付勢力によって前記支持板が上方に揺動し、前記支持板の先端が前記第２受け部を支持した状態で前記閉止板を保持している請求項１、２いずれかに記載の空調ダクトの止水ダンパが提供される。
【００１６】
上記請求項３記載の発明では、前記跳ね返り防止装置の構造と、前記閉止板の各状態における作動状態について詳細に説明している。前記跳ね返り防止装置は、空調ダクト側に配置される本体部と閉止板側に配置される受け部とから構成され、前記本体部の支持板の先端を前記受け部の第１受け部に支持することにより前記閉止板を閉止状態に保持し、前記本体部の支持板の先端を前記受け部の第２受け部に支持することにより前記閉止板をパッキンの潰れ代分だけ閉止方向に移動した状態に保持している。
【００１７】
請求項４に係る本発明として、前記閉止板は、一方側の端縁がヒンジ部材によって流路上部に回動自在に支持されるとともに、他方側の端縁を前記留め具に掛止した掛止状態で流路上部にほぼ水平に収容され、且つ重力落下によって流路を閉止する方向と反対側の面に、一端がヒンジ部材によって回動自在に支持されるとともに、前記閉止板の掛止状態で前記閉止板に沿うように配向されたストッパーアームが備えられ、
前記ストッパーアームは、前記閉止板が重力落下によって流路を閉止した反動で回動を開始し、前記閉止板とほぼ垂直になる位置で、流路に配置されたストッパー受け台に該ストッパーアームの他端が係合するように設けられている請求項１〜３いずれかに記載の空調ダクトの止水ダンパが提供される。
【００１８】
上記請求項４記載の発明では、前記閉止板は、一方側の端縁が片側ヒンジ固定により流路上部に回動自在に取り付けられ、閉止板を重力落下させると流路上部に水平に収容された状態から円弧を描くようにして流路を閉止するように設けられている。また、前記閉止板には、重力落下によって流路を閉止する方向と反対側の面に、一端がヒンジ部材によって回動自在に取り付けられるとともに、前記閉止板の掛止状態で前記閉止板に沿うように配向されたストッパーアームが備えられている。このストッパーアームは、前記閉止板が重力落下によって流路を閉止した反動で回動を開始し、前記閉止板とほぼ垂直になる位置で、流路に配置されたストッパー受け台に該ストッパーアームの他端が係合するように設けられている。このため、前記ストッパーアームによって前記閉止板の圧着閉止が可能になり、水密性がより一層向上するとともに、水圧を受けた場合でも閉止板による閉止状態が維持できるようになる。
【００１９】
請求項５に係る本発明として、前記閉止板が重力落下によって流路を閉止する際、衝撃を和らげるためのダンパーが備えられている請求項１〜４いずれかに記載の空調ダクトの止水ダンパが提供される。
【００２０】
上記請求項５記載の発明では、閉止板を重力落下させたときの反発力による閉止板のバウンドやパッキンの損傷などを防止するため、前記閉止板が重力落下によって流路を閉止する際、衝撃を和らげるためのダンパーを備えるようにしている。
【００２１】
請求項６に係る本発明として、前記検知槽は、流れ込んだ水の自重によって傾斜するように設けられるとともに、前記検知槽に接続するロッド棒及び揺動支持された作動杆を介して前記留め具と連設され、
前記作動杆は、一方端に前記ロッド棒が接続されるとともに、他方端に前記留め具が接続され、前記検知槽の傾斜に伴って揺動することにより、前記留め具による前記閉止板の掛止状態を解除するように動作する請求項１〜５いずれかに記載の空調ダクトの止水ダンパが提供される。
【００２２】
上記請求項６記載の発明では、前記検知槽に流れ込んだ水の自重に連動して留め具による閉止板の掛止状態を解除する機構について詳細に示している。具体的には、前記検知槽を流れ込んだ水の自重により傾斜するように設けるとともに、前記検知槽に接続するロッド棒及び揺動支持された作動杆を介して前記留め具と連設する。さらに、前記作動杆は、揺動支持された一方端を前記ロッド棒に接続し、他方端を前記留め具に接続する。このため、前記作動杆が前記検知槽の傾斜に伴って揺動することにより、前記留め具による前記閉止板の掛止状態を解除することができるようになる。
【発明の効果】
【００２３】
以上詳説のとおり本発明によれば、浸水から水抜きまでの全過程において完全に止水できる空調ダクトの止水ダンパが提供できるようになる。
【図面の簡単な説明】
【００２４】
【図１】本発明に係る止水ダンパ１の正面側の縦断面図である。
【図２】止水ダンパ１の横断面図である。
【図３】止水ダンパ１の側面側の縦断面図である。
【図４】閉止板１２のヒンジ部分を示す拡大図である。
【図５】止め具１による閉止板１２の掛止状態を示す拡大図であ。
【図６】ストッパーアーム１４とストッパー受け台１７との係合状態を示す、(A)は平面図、(B)は正面図である。
【図７】(A)は閉止状態、(B)はパッキンの潰れ代分だけ移動した状態を示す、跳ね返り防止装置２０の作動状態の拡大図である。
【図８】跳ね返り防止装置２０を示す、(A)は正面図、(B)は側面図である。
【図９】支持板２３を示す、(A)は正面図、(B)は側面図、(C)は底面図である。
【図１０】基台２４を示す、(A)は正面図、(B)は側面図、(C)は平面図である。
【図１１】押さえ部材２８を示す、(A)は止水ダンパ１への配置図、(B)は流路方向の正面図である。
【発明を実施するための形態】
【００２５】
以下、本発明の実施の形態について図面を参照しながら詳述する。本発明に係る空調ダクトの止水ダンパ１は、図１〜図３に示されるように、水平方向に沿って配設された空調ダクトの流路の途中に配置されるものであり、外形がほぼ矩形状に形成された本体部分の両側にそれぞれ前記空調ダクトと連結するためのフランジ３、４が備えられている。
【００２６】
空調ダクト内に浸入した水が流れる方向としては、後段で詳述する閉止板１２が重力落下によって流路を閉止する方向（図１の右側から左側に向かう方向）に流れるようにするのが望ましい。この方向に流れる水を止水する場合に、浸水した水の水圧も利用して閉止板１２を確実に閉止できるようになる。これとは逆方向に浸水した場合には、浸水の圧力で閉止板１２の閉止を阻害する可能性がある。
【００２７】
前記止水ダンパ１の内部は、空調ダクトからの空気が流通し、接続する空調ダクトとほぼ同じサイズの流路断面を有する流路空間２と、前記流路空間２の上側に該流路空間２に連通するとともに、後述する閉止板１２が掛止状態において収容される上部収容空間５と、前記流路空間２の下側に該流路空間２に連通するとともに、後述する検知槽１０が収容される下部収容空間６とを有している。
【００２８】
前記上部収容空間５部分及び下部収容空間６部分の外形はそれぞれ、既存のダクト経路上に容易に追加設置できるように、接続する空調ダクトの外形から２００ｍｍ以上突出させない寸法で形成されている。
【００２９】
前記止水ダンパ１に接続されるダクトとしては、前記フランジ３、４の形状を適宜変更することにより、角ダクト（図示例）や丸ダクトなど、種々の形状のものに対応させることができる。
【００３０】
前記止水ダンパ１は、空調ダクト内に浸入した水が流れ込む検知槽１０と、前記検知槽１０に流れ込んだ水の自重に連動して留め具１１による掛止状態が解除され、重力落下によって流路を閉止する閉止板１２と、前記閉止板１２のほぼ全周に亘って設けられ、前記閉止板１２による流路の閉止状態で、閉止板１２の前後を水密保持するパッキン１５とが備えられている。前記閉止板１２は、通常時の前記留め具１１に掛止された掛止状態で、前記上部収容空間５に収容され、空気の流れを妨げない位置に配設されている。ここで、空気の流れを妨げない位置に配設されるとは、閉止板１２の掛止状態で、空調ダクトとほぼ同じサイズの断面形状で連通する前記流路空間２の断面内に、前記閉止板１２が存在しないということである。
【００３１】
さらに詳細には、前記閉止板１２は、一方側の端縁１２ａが１又は複数の、図示例では幅方向に間隔をあけた２つのヒンジ部材１３、１３（図３参照。）によって流路上部に回動自在に支持されるとともに、他方側の端縁１２ｂが自由端とされ、前記他方側の端縁１２ｂに設けられた係合部１２ｃに留め具１１を掛止させた掛止状態で、前記上部収容空間５内にほぼ水平に収容されている。ほぼ水平に収容されるとは、水平の他、±５°程度の傾斜を有した状態で収容されることである。
【００３２】
前記閉止板１２は、止水ダンパ１の流路空間２の断面形状とほぼ同じ大きさの鋼板からなる板状体と、その周縁及び適宜の位置に配置された鋼材などからなる補強材とから構成され、前記ヒンジ部材１３の回動軸を中心に回動することによって、上部収容空間５にほぼ水平に収容された掛止状態と、流路空間２の一方側の開口を封鎖するようにほぼ垂直に配置された閉止状態とが切り替え可能になっている。
【００３３】
前記閉止板１２は、図４に示されるように、重力落下によって流路を閉止する方向の側の面に、前記板状体の周縁に沿ってゴムやプラスチックなどからなるパッキン１５が取り付けられている。また、前記流路空間２の一方側の開口周縁であって、前記閉止板１２が流路に対してほぼ垂直となる位置に、前記パッキン１５が当接する受枠１６が設けられている。前記パッキン１５が前記受枠１６に圧接されることにより、閉止板１２の前後で止水性が確保されるようになっている。
【００３４】
前記受枠１６は、図４に示されるように、空調ダクトの内面に立設された板材からなり、空調ダクトの全周に亘って設けられている。前記受枠１６のパッキン１５との当接面には、空調ダクトの周方向に沿って１条又は複数条の、図示例では２条の溝１６ａ、１６ａが形成されている。パッキン１５の当接時に、この溝１６ａにパッキン１５が変形して入り込むことによって、水密性がより一層高められるようになる。
【００３５】
また、前記閉止板１２は、重力落下によって流路を閉止する方向と反対側の面に、一端１４ａが前記閉止板１２の自由端側（他方側の端縁１２ｂ側）に設けられたヒンジ部材１４ｄによって回動自在に支持され、他端が自由端とされるとともに、前記閉止板１２の掛止状態で前記他端を閉止板１２の一方側の端縁１２ａ側に位置させることによって閉止板１２に沿うように配向されたストッパーアーム１４を備えている。
【００３６】
前記ストッパーアーム１４は、図１に示されるように、アーム本体１４ａと、このアーム本体１４ａの一端１４ｂを前記閉止板１２の他方側の端縁１２ｂ寄りの位置に回動自在に支持するためのヒンジ部材１４ｄとから主に構成されている。前記アーム本体１４ａの他端は自由端とされている。
【００３７】
前記ストッパーアーム１４は、図１に示されるように、前記閉止板１２が重力落下によって流路を閉止した反動で、閉止板１２に沿うように配向された状態から回動を開始し、前記閉止板１２とほぼ垂直になる位置で、前記ストッパーアーム１４の他端が流路に配置されたストッパー受け台１７に係合するようになっている。前記ストッパーアーム１４の先端がストッパー受け台１７に係合することによって、前記パッキン１５が前記受け枠１６に圧着され、閉止板１２の圧着閉止が可能になり、水密性がより確実に確保されるようになる。
【００３８】
前記ストッパーアーム１４は、前記閉止板１２が重力落下によって流路を閉止した反動で回動を開始した後、該ストッパーアーム１４の自重によって前記ストッパー受け台１７と確実に係合させるため、該ストッパーアーム１４の他端（自由端）にローラー１４ｃを設けることが好ましい。前記ローラー１４ｃとしては、前記ストッパーアーム１４の回動方向に回転する軸受け部材が好適であり、ストッパーアーム１４がストッパー受け台１７に係合する際に、これらの間の摩擦によってストッパーアーム１４が途中で止まってしまうのを防止し、ストッパーアーム１４を最後まで（閉止板１２とほぼ垂直になる位置まで）係合させることによって閉止板１２の圧着閉止を確実にしている。
【００３９】
また、前記アーム本体１４ａの他端側（自由端側）には、図６に示されるように、ストッパーアーム１４とストッパー受け台１７との係合状態で、ストッパー受け台１７の上面１７ｂに当接し、ストッパーアーム１４の回動停止位置を調整するための調整用ボルト１４ｅが螺設されている。前記調整用ボルト１４ｅの締め込み量を調整してアーム本体１４ａからの突出長を調整することによって、ストッパーアーム１４の停止位置が調整できる。
【００４０】
前記ストッパー受け台１７は、同図６に示されるように、前記ストッパーアーム１４の他端（自由端）が当接し、流路と直交する当接面１７ａと、前記ストッパーアーム１４の調整用ボルト１４ｅが当接し、流路と平行する上面１７ｂとを有している。前記当接面１７ａには前記ストッパーアーム１４の先端が当接したときの衝撃を受け止める緩衝板１７ｃが固設されている。
【００４１】
このストッパー受け台１７は、図２に示されるように、流路空間２の下部の幅方向中央部に流路方向に沿って跨設された支持板２ａ上に固定されている。前記支持板２ａの両側は、下部収容空間６に連通する開口２ｂ、２ｂが形成され、空調ダクトから流路空間２に浸入した水が前記開口２ｂ、２ｂを通じて下部収容空間６の検知槽１０に流れ込むことができるようになっている。
【００４２】
前記検知槽１０は、図３に示されるように、流れ込んだ水の自重により傾斜するように設置されるとともに、検知槽１０に接続するロッド棒１８及び揺動支持された作動杆１９を介して前記留め具１１に連設されている。
【００４３】
前記検知槽１０は、上面が開放したトレイ状に形成されたもので、図３に示されるように、底面を流路幅方向の一方側に傾斜させることにより、流れ込んだ水が一方側に溜まりやすい構造となっている。流路幅方向の他方側は、止水ダンパ１の底面に対し、流路方向に沿って配置された軸１０ａ回りに回動自在に支持されている。流路幅方向の一方側は、ロッド棒１８の下端が回動可能に接続され、前記閉止板１２の掛止状態で、前記ロッド棒１８を介して接続された作動杆１９によって吊り下げ支持され、止水ダンパ１の底面から浮いた状態でバランスが保持されている。前記検知槽１０に水が流れ込むと、幅方向一方側に水が溜まり、前記軸１０ａ回りに幅方向一方側が沈み込むように傾斜するとともに、これに伴ってロッド棒１８が引き下げられる。
【００４４】
前記ロッド棒１８は、下部収容空間６から流路空間２を通って上部収容空間５まで延び、下端が前記検知槽１０に回動自在に支持されるとともに、上端が前記作動杆１９に回動自在に支持されている。
【００４５】
前記作動杆１９は、図５に示されるように、上部収容空間５の内壁に揺動自在に支持されるとともに、この支持点からほぼ水平方向に延びるとともに、先端部に前記ロッド棒１８の上端が回動自在に支持される水平方向杆１９ａと、前記支持点からほぼ鉛直方向に延びる鉛直方向杆１９ｂとからなる略Ｌ字状に形成されている。また、前記鉛直方向杆１９ｂの中間部分から前記水平方向杆１９ａと反対側の水平方向に延び、閉止板１２の掛止状態における釣り合いを保持するための第２水平方向杆１９ｃが備えられている。前記第２水平方向杆１９ｃの先端には、止水ダンパ１の上面に対し反力を作用させるスプリング１９ｄが設けられ、前記閉止板１２の掛止状態で、第２水平方向杆１９ｃに下向きの反力を作用させることによって、作動杆１９に対し、ロッド棒１８を介して検知槽１０の幅方向一方側を吊り上げる方向に回転力を作用させている。
【００４６】
前記鉛直方向杆１９ｂの先端部には、前記作動杆１９の回動方向と直交する方向に突出する留め具１１が備えられ、閉止板１２の掛止状態で、前記留め具１１が閉止板１２の他方側の端縁１２ｂに設けられた係合部１２ｃに掛止するようになっている。また、この掛止状態から、前記検知槽１０の傾斜に伴って、ロッド棒１８を介して作動杆１９が揺動することにより、前記留め具１１が係合部１２ｃに掛止した状態が解除され、閉止板１２が重力落下するようになる。
【００４７】
前記留め具１１は、同図５に示されるように、円柱状に形成し、この円周部分で前記係合部１２ｃに接するように設けることにより、係合部１２ｃとの摩擦が軽減するため好ましい。また、前記係合部１２ｃに円柱状の受け部１２ｄ、１２ｄを２つ並設することによって、これら受け部１２ｄ、１２ｄの間に形成された凹部に、前記留め具１１を嵌り込ませることができるようになるため、掛止状態を維持しやすくなる。また、図５に示されるように、前記係合部１２ｃの前記留め具１１の解除方向と反対側には、作動杆１９が誤って反対側に回転し留め具１１と係合部１２ｃとの係合が解除されるのを防止するため、規制板１２ｅが設けられている。
【００４８】
一方、図１に示されるように、前記閉止板１２が流路を閉止した状態において、閉止板１２の閉止方向の面側であって、閉止状態にある閉止板１２からパッキン２５の潰れ代分だけ間隔をあけた流路内に、過大な水圧を受けたとき前記閉止板１２の背面側から閉止板１２を押さえ可能な押さえ部材２８が備えられている。この押さえ部材２８は、閉止板１２による流路の閉止状態において、浸水側の揚程が大きい部分に本止水ダンパ１が設置された場合などのように、浸水深さが増して閉止板１２に過大な水圧がかかった場合、閉止板１２の背面側から押さえることによって過大なパッキンの潰れや閉止板１２の撓みを防止し、パッキン２５による止水性を確保するためのものである。この押さえ部材２８については後段で詳細に説明する。
【００４９】
ところで、本止水ダンパ１においては、止水圧に対する要求により閉止板１２は重く頑丈なものとなり、閉止動作（重力落下）時には、受枠１６との間に挿入したパッキン１５を破損させたりして確実な止水の妨げになることに鑑みて、図７に示されるように、流路空間２の下部に、閉止直前で前記閉止板１２の先端側の端縁１２ｂが当接し乗り越えるようにして閉止状態になるとともに、乗り越え後は該閉止板１２を閉止状態で停止させる跳ね返り防止装置２０が備えられている。
【００５０】
前記跳ね返り防止装置２０は、図７(A)に示されるように、閉止板１２の閉止状態と、同図７(B)に示されるように、この閉止状態から更に前記パッキン１５の潰れ代分だけ前記閉止板１２が閉止方向に移動した状態との２段階で前記閉止板１２を保持可能としている。つまり、第１段階では、図７(A)に示されるように、浸水の初期に、留め具１１による掛止状態が解除され閉止板１２が重力落下によって流路を閉止した閉止状態において、前記閉止板１２を保持している。次に第２段階では、同図７(B)に示されるように、更に浸水深さが増して閉止状態の閉止板１２に大きな水圧がかかりパッキン１５が潰れてその潰れ代分だけ閉止板１２が閉止方向に移動した状態、及びその後の排水時や水抜き時の閉止板１２に水圧が作用しなくなった状態において、前記閉止板１２を保持している。前記跳ね返り防止装置２０は、これら２つの段階においてそれぞれ、前記閉止板１２を保持可能とすることにより、パッキン２５の止水性を確保している。
【００５１】
前記跳ね返り防止装置２０は、図８に示されるように、空調ダクト側の下部（前記支持板２ａ）に配置される本体部２１と、閉止板１２の閉止方向と反対側の面の下部に取り付けられる受け部２２とから構成されている。
【００５２】
前記本体部２１は、空調ダクト側に固定される基台２４と、この基台２４に対して閉止板１２の閉止方向側の先端が上下に揺動自在に支持されるとともに、この先端が上方に付勢支持された支持板２３と、前記支持板２３の揺動中心部に前記支持板２３及び基台２４に対し一体的に嵌装される回動軸２７と、前記支持板２３の先端に上方の付勢力を作用させるためのコイルバネからなるスプリング２５と、前記基台２４を空調ダクト側（前記支持板２ａ）に固定するためのボルト用のネジ孔が設けられた止め板２６とから構成されている。
【００５３】
前記支持板２３は、詳細には図９に示されるように、上板２３ａと、この上板２３ａの両側にそれぞれ垂設される側板２３ｂ、２３ｂとから構成され、下側に開放する断面略コの字形に形成された縦長の部材である。前記両側板２３ｂ、２３ｂの長手方向の一方側寄り位置にはそれぞれ、前記回動軸２７を挿入するための開孔２３ｃ、２３ｃが設けられている。前記両側板２３ｂ、２３ｂは、前記開孔２３ｃが設けられた一方側より、長手方向の他方側の方が高さが漸次低くなるように形成され、図８(A)に示されるように、支持板２３の先端が最も下側に移動したときに閉止板１２の端縁１２ｂが乗り越えやすい形状で形成されている。
【００５４】
前記基台２４は、詳細には図１０に示されるように、底板２４ａと、この底板の両側にそれぞれ立設される側板２４ｂ、２４ｂとから構成され、上側に開放する断面略コの字形に形成された縦長の部材である。前記両側板２４ｂ、２４ｂの長手方向の一方側寄り位置にはそれぞれ、前記回動軸２７を挿入するための開孔２４ｃ、２４ｃが設けられている。前記底板２４ａには、前記スプリング２５を外嵌するための上方に突出した突起２４ｄが備えられるとともに、空調ダクト側への固定用のボルトを挿通するための複数の通孔２４ｅ、２４ｅが形成されている。
【００５５】
前記スプリング２５としては、コイルバネを用いるのが好ましく、上方からの圧縮を受けたときに上方への反発力が作用するように構成されている。
【００５６】
前記本体部２１の組立ては、図９に示されるように、前記止め板２６を空調ダクトの裏側に当てた状態で、前記基台２４の通孔２４ｅ、２４ｅにボルトを挿入し、基台２４及び止め板２６を締結することにより基台２４を空調ダクトに固定する。この基台２４の前記突起２４ｄにスプリング２５を外嵌させた後、この基台２４に支持板２３を外装し、支持板２３の開孔２３ｃ、２３ｃ及び基台２４の開孔２４ｃ、２４ｃに前記回動軸２７を一体的に嵌装させる。これにより、前記支持板２３が前記基台２４に対して回動軸２７を中心として回動自在に設けられるとともに、前記スプリング２５の反発力により支持板２３の他方側の先端が上方に向けて付勢支持されるようになる。前記支持板２３は、前記スプリング２５の付勢力による上方への移動量（回動範囲）を一定量以下に規制するため、図９(A)に示されるように、両側板２３ｂ、２３ｂの前記開孔２３ｃの中心より一方側の端縁に向けて、下端縁を斜めに切り欠いた切欠部２３ｄが形成されている。前記回動軸２７を中心に前記支持板２３の先端が上方に向けて回動すると、前記切欠部２３ｄが空調ダクトに当接して支持板２３の回動が規制されるようになっている。
【００５７】
一方、前記受け部２２は、図８に示されるように、閉止板１２の閉止状態で、閉止板１２の他方側の端縁１２ｂ側（下方側、自由端側）に位置する第１受け部２２ａと、前記第１受け部２２ａより上方側（一方側の端縁１２ａ側）に位置するとともに、前記第１受け部２２ａとの間に閉止板１２の外面に対して垂直に突出する方向に高さＨの段差部を形成しながら前記第１受け部２２ａより高く形成された第２受け部２２ｂとから構成された段付きの板材である。前記第２受け部２２の上部には、該受け部２２を閉止板１２に固定するためのボルト通孔が形成されている。
【００５８】
前記第１受け部２２ａと第２受け部２２ｂとの間の段差部の高さＨは、パッキン２５の潰れ代によっても異なるが、支持板２３の先端を段差部に係合しやすくするとともに、パッキン２５の潰れ代が過大にならないようにするため、３ｍｍ〜１０ｍｍ、より好ましくは４ｍｍ〜６ｍｍとするのがよい。
【００５９】
前記支持板２３は、先端が前記第１受け部２２ａに支持された状態と、前記第２受け部２２ｂに支持された状態とが切替え可能になっている。前記支持板２３は、前記スプリング２５によって先端が上方に向けて付勢されることにより、通常時には、前記切欠部２３ｄが空調ダクトに当接して回動が規制された状態で配置されている。
【００６０】
次いで、前記押さえ部材２８について詳細に説明すると、この押さえ部材２８は、図１１に示されるように、中空の円形の端部によって過大な水圧を受けたときの閉止板１２を背面側から押さえ可能とされたリング状の円筒部２８ａと、この円筒部２８ａの外周から空調ダクトまで延びるとともに、空調ダクトに固定される複数の、図示例では４つのフランジ部２８ｂ、２８ｂ…とから構成することが好ましい。前記円筒部２８ａは、図示例では、空調ダクトの流路に沿った方向を軸方向とした円筒形に形成されている。なお、前記円筒部２８ａは、中空の断面形状であれば、角形の筒体でも構わないし、少なくとも閉止板１２と接触する端部のみを円形としてそれ以外の部分を任意の断面形状で形成することも可能である。
【００６１】
前記押さえ部材２８は、図１１(B)に示されるように、前記円筒部２８ａの端部と、重力落下して閉止状態で保持された閉止板１２との間の隙間Ｓが、パッキン１５の潰れ代分の間隔で設けられている。つまり、浸水側の揚程が大きい場合において浸水深さが増して閉止板１２に大きな水圧がかかったとき、パッキン１５が潰れてその潰れ代分だけ閉止板１２が閉止方向に移動したり、閉止板１２自体が撓んで閉止方向に移動したりするが、このときの移動量が、閉止板１２が円筒部２８ａの端部に当接することにより前述の隙間Ｓ以下に抑えられるようになる。
【００６２】
前記円筒部２８ａの端部を円形に形成することにより、閉止板１２全体が均等に押さえられるようになり、パッキン１５の潰れ代が閉止板１２の全周に亘ってほぼ均等となる。更に、円筒部２８ａを中空の円形リング状に形成してあるため、押さえ部材２８を流路に配置したときでも、圧力損失が小さくて済む。
【００６３】
前記押さえ部材２８の円筒部２８ａと閉止板１２との隙間Ｓは、パッキン２５の潰れ代によっても異なるが、パッキン２５の潰れ代が過大にならないようにするとともに、加工精度などを考慮して、３ｍｍ〜１０ｍｍ、より好ましくは４ｍｍ〜６ｍｍとするのがよい。
【００６４】
前記隙間Ｓは、前記跳ね返り防止装置２０の受け部２２に備えられる第２受け部２２ｂの高さＨとほぼ同等の寸法で形成するのが望ましい。これにより、閉止板１２が水圧によって前記隙間Ｓだけ閉止方向に移動したとき、前記跳ね返り防止装置２０の支持板２３が前記隙間Ｓと同じ寸法の高さＨで形成された段差部を乗り越えてスプリング２５の付勢力によって上方に回動し、第２受け部２２ｂを支持するようになる。このため、その後の排水などによって水圧がかからなくなった場合でもパッキン１５の潰れ代分だけ移動した状態が保持でき、より確実に止水性が確保されるようになる。
【００６５】
次に、本止水ダンパ１の動作について、図７に基づいて詳しく説明する。空調ダクト内に浸水して検知槽１０内に所定量の水が溜まると、検知槽１０が傾いてロッド棒１８及び作動杆１９を介して、前記閉止板１２の留め具１１による掛止状態が解除される。閉止板１２は、一方側の端縁１２ａに備えられたヒンジ部材１３の回動軸を回動中心として、閉止板１２の先端側の端縁１２ｂが弧を描くように重力落下を始める。図７(A)に示されるように、前記閉止板１２の端縁１２ｂが閉止直前で跳ね返り防止装置２０の支持板２３に当接し、スプリング２５の付勢力に抗して支持板２３を押し下げながら、閉止板１２の端縁１２ｂが支持板２３の上面を摺接して乗り越える。このとき、閉止板１２の端縁１２ｂは、支持板２３の上面を摺接しながら移動するため、閉止板１２の重力落下速度が低減し、閉止時の受枠１６にかかる衝撃力が緩和できる。そして、閉止板１２が跳ね返り防止装置２０を乗り越えた後、スプリング２５の復元力によって、支持板２３が素早く上方に移動するため、支持板２３の先端が受け部２２の第１受け部２２ａを支持するとともに段差部に係合し、前記閉止板１２が閉止状態で保持される。また、前記閉止板１２が重力落下によって流路を閉止した反動で、閉止板１２に沿って配向されたストッパーアーム１４が回動を開始し、ストッパーアーム１４の自由端がストッパー受け台１７に係合することにより閉止板１２の閉止状態がロックされる。
【００６６】
その後、更に浸水深さが増し、図７(B)に示されるように、閉止板１２に大きな水圧がかかってパッキン１５が潰れ、その潰れ代分だけ閉止板１２が閉止方向に移動したとき、閉止板１２の閉止方向の面側に設けられた押さえ部材２８によって一定量以上の移動が抑えられるとともに、前記支持板２３の先端が第１受け部２２ａの段差部に係合した状態が解除され、スプリング２５の付勢力によって支持板２３の先端が上方に移動し、支持板２３が第２受け部２２ｂを支持した状態で閉止板１２を保持する。このように、パッキン１５の潰れ代分だけ移動した状態で前記押さえ部材２８及び跳ね返り防止装置２０によって閉止板１２が保持できるため、浸水後の排水時や水抜き時に、水圧がかからない状態になってもパッキン１５の潰れた状態が保持され、水の漏れが生じることなく止水性が確保される。従って、浸水から水抜きまでの全過程において、止水板１２によって完全に止水できるようになる。
【００６７】
ところで、前記閉止板１２を閉止状態にする際の衝撃を和らげるため、前記ヒンジ部材１３にダンパーを備えたダンパーヒンジを採用してもよい。このダンパーヒンジとしては、予め閉止板１２の掛止状態の方向にバネ力を作用させたスプリング機構を備えたものや、ヒンジ部材１３の回動軸にトルクを作用させたもの、摩擦力や油圧を利用して緩衝機能を持たせたものなど、公知のものを採用できる。
【００６８】
上記の構造からなる本止水ダンパ１では、空調ダクト内に浸入した水が検知槽１０に流れ込んでから、閉止板１２と留め具１１との掛止状態が解除され閉止板１２が重力落下して流路を閉止し、その後の浸水深さが増した状態から排水や水抜きを行うまでの全ての工程において、電気などの駆動源を一切必要とせずに空調ダクトの止水が完了する。また、通常時の前記閉止板１２と留め具１１との掛止状態においては、前記閉止板１２が流路空間２の上部に設けられた上部収容空間５の空気の流れを妨げない位置に配設されているため、通常時に圧力損失を増大させることがないとともに、空調機の運転効率が低下せずに、水害時に空調ダクトの止水ができるようになる。
【符号の説明】
【００６９】
１…止水ダンパ、２…流路空間、３・４…フランジ、５…上部収容空間、６…下部収容空間、１０…検知槽、１１…留め具、１２…閉止板、１３…ヒンジ部材、１４…ストッパーアーム、１５…パッキン、１６…受枠、１７…ストッパー受け台、１８…ロッド棒、１９…作動杆、２０…跳ね返り防止装置、２１…本体部、２２…受け部、２３…支持板、２４…基台、２５…スプリング、２６…止め板、２７…回動軸、２８…押さえ部材
【図１】
2015200452.tif 000003
【図２】
2015200452.tif 000004
【図３】
2015200452.tif 000005
【図４】
2015200452.tif 000006
【図５】
2015200452.tif 000007
【図６】
2015200452.tif 000008
【図７】
2015200452.tif 000009
【図８】
2015200452.tif 000010
【図９】
2015200452.tif 000011
【図１０】
2015200452.tif 000012
【図１１】
2015200452.tif 000013